(57)【特許請求の範囲】
【請求項１】
既存の屋根材の上面に軸部が突出したボルトと、該軸部に差し込まれるナット及び座金とにより既存の母屋に固定された前記既存の屋根材の上に、新規の屋根材を重ね葺きするための、重ね葺き用屋根材固定装置であって、
前記既存の屋根材上に水上水下方向に並べて配置され、前記新規の屋根材が固定される少なくとも二つの取付具と、
正圧に対して前記新規の屋根材を支えるよう、対応する前記取付具に近接して配置される少なくとも一対のライトスペーサとを備え、
前記取付具はそれぞれ、前記座金が貫通可能な第１孔及び該第１孔とつながり該座金が貫通不能且つ前記ボルトが貫通可能な第２孔を有し、
水上水下方向に隣り合う一対の前記取付具は、前記第１孔及び前記第２孔の上下位置関係が相互に逆になるように配設される、
ことを特徴とする重ね葺き用屋根材固定装置。
【請求項２】
前記既存及び新規の屋根材はそれぞれ波形に形成されており、前記ライトスペーサは波形に形成されたＦＲＰ製の部材であることを特徴とする請求項１に記載の重ね葺き用屋根材固定装置。
【請求項３】
前記取付具は、施工治具の係合部が前記ボルトと係合した状態で該係合部及び該取付具の相互スライドを許容するスリットを備えたことを特徴とする請求項１又は２に記載の重ね葺き用屋根材固定装置。
【請求項４】
既存の屋根材の上面に軸部が突出したボルトと、該軸部に差し込まれるナット及び座金とにより既存の母屋に固定された前記既存の屋根材の上に、新規の屋根材を重ね葺きするための、重ね葺き用屋根材固定方法であって、
前記座金が貫通可能な第１孔及び該第１孔とつながり該座金が貫通不能且つ前記ボルトが貫通可能な第２孔を有する取付具を少なくとも一対用意し、
前記一対の取付具を、前記第１孔及び前記第２孔の上下位置関係が相互に逆になるように前記既存の屋根材に水上水下方向に並べて配置し、
各取付具において前記座金が前記第２孔の上方に位置する状態で、前記一対の取付具を前記新規の屋根材により一体的に連結するように該一対の取付具に該新規の屋根材を重ね葺きする、
ことを特徴とする重ね葺き用屋根材固定方法。
【発明の詳細な説明】
【０００１】
【発明の属する技術分野】
本発明は、既存の屋根材に新規屋根材を重ね葺きするための重ね葺き用屋根材固定装置及び重ね葺き用屋根材固定方法に関するものである。
【０００２】
【従来の技術】
図１０に、既存の屋根材に新規屋根材を重ね葺きする場合の従来の態様を示す。既存の屋根材１は、既存の母屋２に既存のフックボルト３により固定されている。新規屋根材を重ね葺きする際には、まず、既存の屋根材１及び母屋２を貫通する留付け用ねじ４によって、新規の母屋５を屋根材１の上面に固定する。さらに、新規のフックボルト６を新規の母屋５に係止させることによって、重ね葺きする新規の屋根材７を新規の母屋５の上面に固定する。
【０００３】
【発明が解決しようとする課題】
しかしながら、上述した従来の態様では、新規の母屋５を既存の屋根材１に固定するために用いる留付け用ねじ４が屋根材１及び既存の母屋２を貫通するため、既存の屋根材や母屋からスレート屑や金属屑が屋内に落下することがあった。また、留付け用ねじ４は、屋根材１及び母屋２を貫通する分、全長が長いため、真っ直ぐにねじ込みにくいなど作業性が良好ではなかった。
【０００４】
そこで、このような問題に鑑み、本出願人は図１１の（ａ）〜（ｄ）に示されるような手法を創出した。すなわち、この手法に用いる重ね葺き用屋根材固定装置１１は、第１取付金具１２、第２取付金具１３及び付け母屋１４を備えるものであり、まず、図１１の（ａ）に示されるように、既存の屋根材１５を固定するフックボルト１６に第１取付金具１２を差し込んでスライドさせ、第１取付金具１２が既存の屋根材１５から離隔しないようにする。次に、第１取付金具１２が屋根材１５に対しスライドしないよう、図１１の（ｂ）に示されるように、第２取付金具１３の穴１７がフックボルト１６の軸部を取り囲むように第１取付金具１２上に第２取付金具１３を載せる。さらに、図１１の（ｃ）に示されるように、付け母屋１４を第１取付金具１２及び第２取付金具１３の立ち上り部に沿わせるように配置し、これら第１取付金具１２、第２取付金具１３及び付け母屋１４をボルト・ナットにより仮留めする。そして、不陸などの調整を行った後、ボルト・ナットの本締めを行って、図１１の（ｄ）に示されるように、重ね葺き用屋根材固定装置１１の組み立てを完了させる。その後、重ね葺き用屋根材固定装置１１の付け母屋１４部分に、新規な屋根材を重ね葺きする。かかる手法においては、既存の屋根材や母屋に対して新たな貫通部材を介在させずに重ね葺きを行えるため、屋内に屑を落下させることもなく、屋根材固定装置自体が既存の屋根材から外れることもない、という優れた利点があった。その一方で、組立・施工性に関しては、第１取付金具１２、第２取付金具１３及び付け母屋１４の三種類の部材を順にセットしていき最後に相互締結を行う態様であるため、さらに簡易化を図れればより好適であった。
【０００５】
従って、本発明は、上記に鑑みてなされたものであり、屋内に屑を落下させることなく、なお且つ、既存の屋根材から誤って外れることもなく、より施工が容易な重ね葺き用屋根材固定装置及び重ね葺き用屋根材固定方法を提供することを目的とする。
【０００６】
【課題を解決するための手段】
上述の目的を達成するため、本発明は、既存の屋根材の上面に軸部が突出したボルトと、該軸部に差し込まれるナット及び座金とにより既存の母屋に固定された前記既存の屋根材の上に、新規の屋根材を重ね葺きするための、重ね葺き用屋根材固定装置であって、前記既存の屋根材上に水上水下方向に並べて配置され、前記新規の屋根材が固定される少なくとも二つの取付具と、正圧に対して前記新規の屋根材を支えるよう、対応する前記取付具に近接して配置される少なくとも一対のライトスペーサとを備え、前記取付具はそれぞれ、前記座金が貫通可能な第１孔及び該第１孔とつながり該座金が貫通不能且つ前記ボルトが貫通可能な第２孔を有し、水上水下方向に隣り合う一対の前記取付具は、前記第１孔及び前記第２孔の上下位置関係が相互に逆になるように配設される、ことを特徴とする。
また、前記既存及び新規の屋根材はそれぞれ波形に形成されており、前記ライトスペーサは波形に形成されたＦＲＰ製の部材であると好適である。
また、前記取付具は、施工治具の係合部が前記ボルトと係合した状態で該係合部及び該取付具の相互スライドを許容するスリットを備えていると好適である。
【０００７】
同目的を達成するため、別の本発明は、既存の屋根材の上面に軸部が突出したボルトと、該軸部に差し込まれるナット及び座金とにより既存の母屋に固定された前記既存の屋根材の上に、新規の屋根材を重ね葺きするための、重ね葺き用屋根材固定方法であって、前記座金が貫通可能な第１孔及び該第１孔とつながり該座金が貫通不能且つ前記ボルトが貫通可能な第２孔を有する取付具を少なくとも一対用意し、前記一対の取付具を、前記第１孔及び前記第２孔の上下位置関係が相互に逆になるように前記既存の屋根材に水上水下方向に並べて配置し、各取付具において前記座金が前記第２孔の上方に位置する状態で、前記一対の取付具を前記新規の屋根材により一体的に連結するように該一対の取付具に該新規の屋根材を重ね葺きする、ことを特徴とする。
【０００８】
【発明の実施の形態】
以下、この発明の実施の形態を添付図面に基づいて説明する。
実施の形態１．
図１〜図３に示されるように重ね葺き用屋根材固定装置２１は、波形の既存の屋根材２３の山部分に配置される複数の取付具２５と、その近傍に配置される複数のライトスペーサ２７とを備えている。
【０００９】
取付具２５は、金属により形成され、図４及び図５に示されるように、端面がほぼ台形に形成されている実質的に管状の部材である。より詳細には、取付具２５は、底壁２９、左右一対の側壁３１，３３及び上壁３５から構成されている。底壁２９は、波形の既存の屋根材の山部分に対応して中央が上方に盛り上がった湾曲形状を有している。底壁２９の中央部には、貫通穴３７が穿設されており、この貫通穴３７は、後述する既存の屋根材のフックボルトに係合する座金部分が貫通可能な直径の丸穴である第１孔３９と、その第１孔３９とつながり、当該座金部分は貫通できずに上記フックボルトの軸部分がスライド可能な幅の長孔である第２孔４１とを備えている。この第２孔４１は、屋根材の水上水下方向に延びている。次に、左右一対の側壁３１，３３は、側壁２９の対応する側端部から上方に立ち上がっており、上壁３５の対応する側端部へとつながっている。左右一対の側壁３１，３３の間隔は、下部から上部にいくにつれて狭くなるように設定されている。また、上壁３５は、重ね葺きされる波形の新規な屋根材の山部分に対応して中央が上方に盛り上がった湾曲形状を有している。なお、本実施の形態では、取付具２５の実際の製作態様として、左右一対の側壁３１，３３及び上壁３５が一体である端面ほぼＵ字状の部材を、側壁３１，３３の下端部において、底壁２９に溶接して構成されているが、本発明は、この製作態様に限定されるものではない。
【００１０】
ライトスペーサ２７は、図１及び図３に示されるように、ＦＲＰ製の波板であり、上方からかかる正圧に対して新規な屋根材４３を支持するものである。より詳細には、ライトスペーサ２７は、波形の新規な屋根材４３の山部分の下方に位置する共にこの山部分から若干浮くような形状の凸部分４５と、波形の既存の屋根材２３の谷部分の上方に位置すると共にこの谷部分から若干浮くような形状の凹部分４７とを有する。同時に、凸部分４５及び凹部分４７は、波形の新規な屋根材４３に正圧が作用したときに、ライトスペーサ２７が撓んで屋根材４３の山部分及び屋根材２３の谷部分に接触するような形状にもなっている。また、ライトスペーサ２７が既存の屋根材２３上に配置されたとき、凸部分４５が取付具２５よりも高くなるように形成されている。
【００１１】
次に、以上のように構成された重ね葺き用屋根材固定装置２１の施工態様について、主に図１〜図３、図６及び図７を参照しながら説明する。なお、図６及び図７はそれぞれ、図２のＶＩ部及びＶＩＩ部を側方からみた場合を示す。波形の既存の屋根材２３は、その山部分の上面に軸部が突出するフックボルト４９と、その軸部に係合するナット５１及び座金５３とによって、既存の母屋５５に固定されている。かかる既存の屋根材２３に対して、取付具２５の第１孔３９に座金５３が貫通するように、取付具２５を載せる。そして、フックボルト４９の軸部が第２孔４１内において第１孔３９から離隔する方向に相対移動するように、取付具２５を既存の屋根材２３と座金５３との間においてスライドさせる。このスライドは、フックボルト４９の軸部が第２孔４１のほぼ終端まで相対的に移動するまで行う。これにより、座金５３が第２孔４１の上方に位置するようになる。そして、第２孔４１は上記のように座金５３の貫通を許容しないため、取付具２５は既存の屋根材２３から離隔しないようになる。かかる態様で複数の取付具２５をフックボルト４９の座金５３毎に取り付ける。
【００１２】
また、各取付具２５の近傍には、ライトスペーサ２７が配置される。ライトスペーサ２７は、各取付具２５の第１孔３９側に置かれる。このように複数の取付具２５及び複数のライトスペーサ２７を設置した後、波形の新規な屋根材４３を載せて、ボルトや座金を含む締結手段５７により屋根材４３を取付具２５の上壁３５に留め付ける。なお、締結手段５７は、図６に示されるように、上下に隣接する新規な屋根材４３が重なる部分では、２枚の屋根材４３の双方を貫通して上壁３５にねじ込まれ、図７に示されるように、新規な屋根材４３の中間部分では、その屋根材４３のみを貫通して上壁３５にねじ込まれる。
【００１３】
このように、本実施の形態の重ね葺き用屋根材固定装置２１では、２種類の部材をセットするだけで新規屋根材の重ね葺きができる。そのため、重ね葺き用屋根材固定装置２１のセットが完了するまでの施工時間が大幅に短縮され、作業性が良好となった。また、部品点数の減少は、施工性を上げるだけでなく、重ね葺き用屋根材固定装置の重量低減にもつながり、既存建物への重量負担を軽減することができる。また、既存の屋根材２３への重ね葺き用屋根材固定装置２１の固定は、既存のフックボルト４９のみを利用し屋根材２３への穴あけを伴わないため、屋内に屑を落下させることもない。
【００１４】
また、重ね葺き用屋根材固定装置２１は２種類の部材で構成され、新規な屋根材４３は取付具２５に直接留め付けられるため、付け母屋や新規なフックボルトを省略することができる。したがって、施工作業の簡略化、屋根材固定装置の構成部品の簡素化を図ることができる。また、そのように付け母屋を省略しても、ライトスペーサ２７が正圧に対して新規な屋根材４３を支えるため、十分な強度も確保される。また、ライトスペーサをＦＲＰにより形成したため、ライトスペーサ２７は正圧に応じて撓み、既存及び新規の屋根材２３，４３の双方に馴染みやすくなっている。よって、好適に新規の屋根材４３を支えることができる。さらに、ライトスペーサをＦＲＰにより形成したことは、軽量化も促進でき、これによっても既存建物への重量負担を軽減することができる。
【００１５】
さらに、ライトスペーサ２７は単に既存の屋根材２３に載せるだけでよいため、付け母屋のように作業性を考慮して最低限の高さが要求されることもないため、重ね葺き用屋根材固定装置２１を低く構成することが可能であり、ひいては重ね葺きの仕上り高さも抑えることができる。このことはデザイン上、以下のような利点を確保することが可能である。すなわち、既存の建物は、当初から既存の屋根材の位置に屋根材があることを前提として設計されており、このため、既存の屋根材の上に新たに屋根材を葺いた場合、既存の屋根材と新規の屋根材との距離が大きくなることはデザイン上好ましくないことといえる。これに対し、本発明の重ね葺き用屋根材固定装置ならば、当該固定装置を低く構成することができるため既存の屋根材と新規の屋根材との距離を従来よりも小さくすることができるため、デザイン上、非常に好適である。また、重ね葺きを行った場合、既存の屋根材と新規の屋根材との間の空間は、断熱層としても機能することとなるが、既存の屋根材と新規の屋根材との距離が約３ｃｍ以上の態様では、断熱効果にあまり差が無くなってくるため、本実施の形態では、重ね葺き用屋根材固定装置を低く構成しながらも、当該距離を少なくとも３ｃｍ以上確保しておけばよい。これにより、デザイン上好適な高さの重ね葺きを行いながら、尚且つ、既存の屋根材と新規の屋根材との間に断熱層として有効に機能する適度な空間を確保することも可能となる。
【００１６】
また、本実施の形態の重ね葺き用屋根材固定装置２１においては、２種類の部材で構成されているにもかかわらず、以下に説明するように、既存の屋根材２３からの脱落が防止されている。図２に、複数の取付具２５が横方向に３列、上下方向（水上・水下方向）に２段、現れた部分を示す。図２に示されるように、同列において上下に並べて配置された一対の取付具２５は、第１孔３９及び第２孔４１の上下位置関係が相互に逆になるように配置されている。すなわち、一段目に配置された複数の取付具２５はいずれも、第１孔３９が第２孔４１よりも水下側に位置する向きに並べられ、逆に、二段目に配置された複数の取付具２５はいずれも、第１孔３９が第２孔４１よりも水上側に位置する向きに並べられる。このような取付具２５の配列態様により、各取付具２５が既存の屋根材２３に対して離脱することが防止されている。すなわち、一段目の取付具２５は、既存の屋根材２３から離脱させる場合、座金５３を第１孔３９上に位置させるよう取付具２５を水上方向にスライドさせる必要がある。一方、二段目の取付具２５は、既存の屋根材２３から離脱させる場合、座金５３を第１孔３９上に位置させるよう取付具２５を水下方向にスライドさせる必要がある。しかしながら、一段目の取付具２５と二段目の取付具２５とは、締結手段５７及び新規な屋根材４３を介して相互に一体的に連結されている。したがって、上記のように上下段の取付具２５が互いに逆向きに取り付けられていることで、結果的に上下段の取付具２５が互いに離脱方向のスライドを規制し合う関係になる。このため、各取付具２５は既存の屋根材２３に対してスライドが規制され、屋根材２３から離脱することが防止される。
【００１７】
実施の形態２．
次に、本発明の実施の形態２に係る重ね葺き用屋根材固定装置について、図８及び図９に基づいて説明する。本実施の形態に係る重ね葺き用屋根材固定装置は、上記実施の形態１において取付具にスリットを追加したものである。よって、当該スリット以外の取付具の構造やライトスペースの構造、さらに、設置態様などの他の構成は、実施の形態１と同様である。取付具５９の左右一対の側壁６１，６３には、左右一対のスリット６５，６７が形成されている。スリット６５，６７は、後述する治具の係合部がフックボルト４９の軸部と係合し、その状態で、係合部と取付具５９とが相対スライドできるようにするためのものである。スリット６５，６７は、対応する側壁６１，６３の一端面６１ａ，６３ａすなわち第１孔３９が近接する側の端面において開放しており、その一端面６１ａ，６３ａから他端面６１ｂ，６３ｂに向けてほぼ水平に延びている。
【００１８】
また、これらスリット６５，６７を備えた取付具５９を、既存の屋根材２３と既存のフックボルト４９の座金５３との間で容易にスライドさせるために、治具７１を使用する。治具７１は、図８に示されるように、ベース部７３と、その一端に揺動自在に取り付けられたレバー７５と、このレバー７５の中間部に揺動自在に取り付けられたアーム７７と、さらにベース７３の一端側にセットされるあて板７９とを備えている。アーム７７は、左右一対のプレート７７ａ，７７ｂと、これらプレート７７ａ，７７ｂの両端を相互に連結する一対のロッド７７ｃ，７７ｄとを備えている。左右一対のプレート７７ａ，７７ｂは、レバー７５を挟み込むように配置され、ロッド７７ｃは、レバー７５を貫通し、一対のプレート７７ａ，７７ｂの後端を相互接続すると共に、同プレート７７ａ，７７ｂをレバー７５に対して揺動自在に支持する。一方、ロッド７７ｄは、一対のプレート７７ａ，７７ｂの前端を相互接続すると共に、既存のフックボルト４９に対する係合部として機能し、取付具５９に形成された一対のスリット６５，６７内をスライド可能な直径を備える。
【００１９】
次に、このような治具７１を使用して、取付具５９を既存の屋根材２３と座金５３との間でスライドさせる動作について説明する。図９の（ａ）に示されるように、治具７１のベース部７３の一端側にあて板７９を配置し、あて板７９におけるベース部７３との反対側に取付具５９を当接させる。このとき、スリット６５，６７の開放方向が治具７１と逆向きとなるように、取付具５９をセットする。次に、既存のフックボルト４９に係合する座金５３が取付具５９の第１孔３９を貫通するように、取付具５９を既存の屋根材２３に載せると共に、治具７１のアーム７７のロッド７７ｄを取付具５９のスリット６５，６７内に入れる。このとき、フックボルト４９があて板７９とロッド７７ｄとの間に挟まれるように、アーム７７をフックボルト４９の近傍に位置させる。
【００２０】
以上のようなセットが完了したら、図９の（ｂ）に示されるように、レバー７５をベース部７３に向けて倒す。これにより、フックボルト４９は、治具７１のあて板７９に接近するような方向の力を受ける。しかし、フックボルト４９は既存の屋根材２３に固定され不動であるため、反作用力により治具７１及びそれに当接する取付具５９が、図中矢印の方向にスライドする。これにより、取付具５９は既存の屋根材２３と座金５３との間でスライドし、座金５３は取付具５９の第２孔４１の上方に位置するように相対的に移動する。このようにして、本実施の形態では、治具７１により取付具５９を容易にスライドさせ、取付具５９を既存の屋根材２３から離脱しないようにセットすることができる。また、その後の重ね葺き用屋根材固定装置の組立や、新規の屋根材の重ね葺きについては、上記実施の形態１の場合と同様である。このように、本実施の形態２では、上記実施の形態１と同様な利点を奏することができることに加え、取付具５９のセットが容易に行える利点がある。
【００２１】
【発明の効果】
以上説明したように、請求項１に記載の本発明の重ね葺き用屋根材固定装置によれば、取付具及びライトスペーサという２種類の部品から構成されることで施工が非常に容易であり、また、重ね葺き用屋根材固定装置の既存の屋根材への取り付けに際しては、既存の屋根材を貫通する固定具を用いないため、従来のように既存の屋根材の下方へ貫通に伴う屑を落下させることを回避することができる。また、既存の技術に比べ、部材数が少なく簡素であるので、重ね葺きにより既存の屋根材上に新たに加わる重量が少なくて済む。
請求項２に記載の重ね葺き用屋根材固定装置によれば、ライトスペーサがＦＲＰから構成されているため、軽量化による既存建物への重量負担が軽減され、加えて、その柔軟性より既存及び新規の屋根材に馴染みやすくなっている。さらに、ライトスペーサが正圧に対し新規屋根材を支えることができるため、母屋を省略し、重ね葺き用屋根材固定装置の構成部品の種類数の減少にもつながる。
請求項３に記載の重ね葺き用屋根材固定装置によれば、施工治具と組み合わせることができ、更に施工が容易となる。
請求項４に記載の本発明の重ね葺き用屋根材固定方法によれば、上下に隣り合う一対の取付具を上下方向が相互に逆になるように配置することで、取付具の脱落を防止するだけの専用部品を使用せずに重ね葺きが行え、使用部品の種類を低減して施工を容易にすることができる。
【図面の簡単な説明】
【図１】  この発明の実施の形態１に係る重ね葺き用屋根材固定装置の斜視図である。
【図２】  この発明の実施の形態１に係る重ね葺き用屋根材固定装置の平面図である。
【図３】  この発明の実施の形態１に係る重ね葺き用屋根材固定装置の端面図である。
【図４】  この発明の実施の形態１に係る重ね葺き用屋根材固定装置の取付具に関する正面図である。
【図５】  この発明の実施の形態１に係る重ね葺き用屋根材固定装置の取付具に関する斜視図である。
【図６】  図２のＶＩ部を側方からみた図である。
【図７】  図２のＶＩＩ部を側方からみた図である。
【図８】  この発明の実施の形態２に係る重ね葺き用屋根材固定装置と、その施工に使用する治具とを示す斜視図である。
【図９】  この発明の実施の形態２に係る重ね葺き用屋根材固定装置の施工を示す図である。
【図１０】  従来の重ね葺き用屋根材固定装置の側面図である。
【図１１】  本出願人が創作した比較例としての重ね葺き手法を示す図である。
【符号の説明】
２１…重ね葺き用屋根材固定装置、２３…既存の屋根材、２５，５９…取付具、２７…ライトスペーサ、３９…第１孔、４１…第２孔、４３…新規の屋根材、４９…フックボルト、５１…ナット、５３…座金、５５…既存の母屋、６５，６７…スリット、７１…施工治具、７７ｄ…係合部。
【図１】
0003753420.tif 000002
【図２】
0003753420.tif 000003
【図３】
0003753420.tif 000004
【図４】
0003753420.tif 000005
【図５】
0003753420.tif 000006
【図６】
0003753420.tif 000007
【図７】
0003753420.tif 000008
【図８】
0003753420.tif 000009
【図９】
0003753420.tif 000010
【図１０】
0003753420.tif 000011
【図１１】
0003753420.tif 000012